【手続補正書】
【提出日】平成17年2月8日(2005.2.8)
【手続補正１】
【補正対象書類名】明細書
【補正対象項目名】特許請求の範囲
【補正方法】変更
【補正の内容】
【特許請求の範囲】
【請求項１】
複数の出力機能を有し、それぞれの前記出力機能に応じた画像処理を行う画像処理装置において、
複数ページの原稿に基づく画像データを記憶する記憶手段と、
前記記憶手段に記憶された画像データに対して、前記出力機能に応じた画像処理を行う画像処理手段と、
一つの設定画面上で少なくとも前記画像データ毎に前記出力機能の設定が可能な設定手段と、を備え、
前記画像処理手段は、前記画像データに対して前記設定手段での設定に基づき、前記画像データ毎に前記出力機能に応じた画像処理を行うことを特徴とする画像処理装置。
【請求項２】
前記設定手段は、前記原稿のページ毎に前記出力機能を設定することを特徴とする請求項１記載の画像処理装置。
【請求項３】
前記画像データを読み取る画像読み取り手段を更に備え、
前記設定手段は、前記画像読み取り手段により読み取られる画像データの順に前記出力機能を設定することを特徴とする請求項１記載の画像処理装置。
【請求項４】
前記設定手段での設定を記憶する設定記憶手段を更に備え、
前記画像処理手段は、前記設定手段に記憶された設定に基づき画像処理を行うことを特徴とする請求項１〜３の何れかに記載の画像処理装置。
【請求項５】
原稿に対応する画像データを選択可能に表示する表示手段と、
前記表示手段に表示された画像データに対して複数の出力機能と該出力機能に関する条件とを設定する操作手段と、
前記操作手段で設定された前記複数の出力機能と前記条件に基づいて前記画像データに対する画像処理を実行する画像処理手段と、
前記画像処理された画像データを出力する出力手段と、
を備えたことを特徴とする画像処理装置。
【請求項６】
前記原稿を読み取って前記画像データを生成する原稿読み取り手段を備えたことを特徴とする請求項５に記載の画像処理装置。
【請求項７】
前記表示手段は、前記画像データを特定するための情報を表示することを特徴とする請求項５又は６に記載の画像処理装置。
【請求項８】
前記画像データを特定するための情報は、前記画像データに基づくサムネイル画像であることを特徴とする請求項７に記載の画像処理装置。
【請求項９】
前記原稿は複数ページからなり、前記操作手段において、ページ毎に前記複数の出力機能と前記条件とを設定可能であることを特徴とする請求項５〜８の何れか一項に記載の画像処理装置。
【請求項１０】
前記出力機能は、前記画像処理された画像データに基づいて印刷する機能、前記画像処理された画像データを外部へ伝送する機能、前記画像処理された画像データを格納する機能のうち、少なくとも２つ以上を含むものであることを特徴とする請求項５〜９の何れか一項に記載の画像処理装置。
【請求項１１】
前記画像処理された画像データを外部へ伝送する機能は、前記画像処理された画像データをファクシミリ送信する機能、前記画像処理された画像データを電子メールにて送信する機能、前記画像処理された画像データを外部へ転送する機能のうち、少なくとも１つ以上を含むものであることを特徴とする請求項１０に記載の画像処理装置。
【請求項１２】
前記操作手段は、前記機能のうち、少なくとも２つ以上を設定することを特徴とする請求項１０又は１１に記載の画像処理装置。
【手続補正２】
【補正対象書類名】明細書
【補正対象項目名】００１３
【補正方法】変更
【補正の内容】
【００１３】
また、請求項４記載の発明は、請求項１〜３の何れかに記載の画像処理装置において、
前記設定手段での設定を記憶する設定記憶手段を更に備え、
前記画像処理手段は、前記設定手段に記憶された設定に基づき画像処理を行うことを特徴としている。
請求項４記載の発明によれば、設定画面上での設定を記憶するので、画像データと出力機能との対応や原稿ページと出力機能との対応が明確になる。したがって、記憶しておいた設定に基づいて画像処理を行うことが容易にできるようになる。
【手続補正３】
【補正対象書類名】明細書
【補正対象項目名】００１４
【補正方法】変更
【補正の内容】
【００１４】
請求項５に記載の発明は、原稿に対応する画像データを選択可能に表示する表示手段と、
前記表示手段に表示された画像データに対して複数の出力機能と該出力機能に関する条件とを設定する操作手段と、前記操作手段で設定された前記複数の出力機能と前記条件に基づいて前記画像データに対する画像処理を実行する画像処理手段と、前記画像処理された画像データを出力する出力手段と、を備えたことを特徴としている。
また、請求項６に記載の発明は、請求項５に記載の発明において、前記原稿を読み取って前記画像データを生成する原稿読み取り手段を備えたことを特徴としている。
また、請求項７に記載の発明は、請求項５又は６に記載の発明において、前記表示手段は、前記画像データを特定するための情報を表示することを特徴としている。
また、請求項８に記載の発明は、請求項７に記載の発明において、前記画像データを特定するための情報は、前記画像データに基づくサムネイル画像であることを特徴としている。
また、請求項９に記載の発明は、請求項５〜８の何れか一項に記載の発明において、前記原稿は複数ページからなり、前記操作手段において、ページ毎に前記複数の出力機能と前記条件とを設定可能であることを特徴としている。
また、請求項１０に記載の発明は、請求項５〜９の何れか一項に記載の発明において、前記出力機能は、前記画像処理された画像データに基づいて印刷する機能、前記画像処理された画像データを外部へ伝送する機能、前記画像処理された画像データを格納する機能のうち、少なくとも２つ以上を含むものであることを特徴としている。
また、請求項１１に記載の発明は、請求項１０に記載の発明において、前記画像処理された画像データを外部へ伝送する機能は、前記画像処理された画像データをファクシミリ送信する機能、前記画像処理された画像データを電子メールにて送信する機能、前記画像処理された画像データを外部へ転送する機能のうち、少なくとも１つ以上を含むものであることを特徴としている。
また、請求項１２に記載の発明は、請求項１０又は１１に記載の発明において、前記操作手段は、前記機能のうち、少なくとも２つ以上を設定することを特徴としている。
請求項５〜１２に記載の発明によれば、表示手段に表示された画像データに対しての複数の出力機能と出力機能に関する条件の設定を一度に行うことができるので、操作性が向上する。
【手続補正４】
【補正対象書類名】明細書
【補正対象項目名】００２５
【補正方法】変更
【補正の内容】
【００２５】
通信部５は、ネットワーク網を介して外部機器との通信を行うための、モデム（ＭＯＤＥＭ：MOdulator/DEModulator ）またはターミナルアダプタ（ＴＡ：Terminal Adapter）、または各種情報を伝送するＦａｘ、電話等の通信機器によって構成される。なお、通信部５は、出力機能を示している。つまり、通信部５は、出力手段としての機能を有している。
【手続補正５】
【補正対象書類名】明細書
【補正対象項目名】００２７
【補正方法】変更
【補正の内容】
【００２７】
印刷部７は、システムコントローラ１から入力される印刷データに基づき、印刷処理を実行する。なお、印刷部７は、出力機能を示している。つまり、印刷部７は、出力手段としての機能を有している。